(57)【要約】  照明器具ネットワークを構成するための方法、及びそれらのその後の運用を本明細書で説明する。街路（２４、２９）上に複数の照明器具が位置し、各照明器具は制御モジュール（２３、２８）を備えている。ネットワークを構成するための方法は、各制御モジュールについて、環境をスキャンすること及び環境情報を中央サーバに提供することを含み、中央サーバは、制御モジュール及びそれらに関連付けられた照明器具をグループ（Ａ、Ｂ）に割り当てる。サーバとの遠距離通信及びグループ内の制御モジュールとの近距離通信を有する各グループに、グループコントローラ（２３’、２８’、３１、３２）が割り当てられる。各グループコントローラとグループ内の制御モジュールとはネットワークを形成し、このネットワークは、自律的に、又はサーバの制御下で動作することができる。制御モジュールのうちのいくつかには、環境内の変化を示す信号を提供してネットワークがそうした変化に従ってネットワークの動作を適合させることを可能にするセンサ（Ｓ１、Ｓ２）が含まれてもよい。
2017533565.tif 000002
【特許請求の範囲】
【請求項１】
照明器具ネットワークを運用するための方法であって、
複数の照明器具を備えた照明器具ネットワークを設けるステップであり、各照明器具は、街灯であり、それに関連付けられた制御モジュール（１、２、２３、２３’、２８、２８’）を有し、
前記制御モジュール（１、２、２３、２３’、２８、２８’）の各々は、
−  長距離通信モジュールと、
−  短距離通信モジュールと、
−  地理座標モジュールと、
−  コントローラ（３９）と、を備え、
各制御モジュールが、前記照明器具の駆動装置を制御するための制御出力を提供するように動作可能であり、前記制御出力が、前記関連付けられた照明器具の発光手段の前記駆動装置のための制御信号を含む、前記照明器具ネットワークを設けるステップと、
前記長距離通信モジュールを介して到達可能な少なくとも１つのサーバ（４）を設けるステップと、
前記制御モジュールにより提供される照明器具情報及び制御モジュール情報のうちの少なくとも１つに基づいて、前記制御モジュール（１、２、２３、２３’、２８、２８’）を少なくとも１つの制御モジュールグループ（Ａ、Ｂ）に分割することにより前記ネットワークを構成するステップと、
各グループ（Ａ、Ｂ）内の前記制御モジュールのうちの１つをグループコントローラ（２、２３’、２８’）として選択するステップと、
更なる制御モジュール（１、２３、２８）の短距離ネットワークを各グループ（Ａ、Ｂ）内に前記それぞれの短距離通信モジュールを介して形成するステップであり、各グループ（Ａ、Ｂ）内の前記更なる制御モジュールが、それらの短距離通信モジュールを用いて互いと、かつそれらのグループコントローラと通信する、ステップと、
前記ネットワークの正常動作状態において、前記グループコントローラ（２、２３’、２８’）から前記サーバに、それ自身の照明器具情報及び制御モジュール情報のうちの少なくとも１つ、並びに前記更なる制御モジュール（１、２３、２８）から前記短距離通信モジュールを介して受信した照明器具情報及び制御モジュール情報のうちの少なくとも１つを送信するステップと、を含む方法。
【請求項２】
前記制御モジュール（１、２、２３、２３’、２８、２８’）を少なくとも１つのグループ（Ａ、Ｂ）に分割する前記ステップが、前記制御モジュールにより提供された環境情報に基づいて更に行われる、請求項１に記載の方法。
【請求項３】
前記ネットワークの前記正常動作状態において、環境情報が、前記グループコントローラ（２、２３’、２８’）から前記サーバに送信される、請求項２に記載の方法。
【請求項４】
各制御モジュール（１、２、２３、２３’、２８、２８’）が、ニアフィールド通信モジュールを更に備えている、請求項１〜３のいずれか一項に記載の方法。
【請求項５】
前記制御モジュールが、少なくとも１つのセンサ（４１）を更に備えている、請求項１〜４のいずれか一項に記載の方法。
【請求項６】
前記短距離ネットワークが、メッシュネットワークの形態である、請求項１〜５のいずれか一項に記載の方法。
【請求項７】
制御モジュール（１、２、２３、２３’、２８、２８’）が初めて起動されたときに地理情報を取得するステップと、
前記長距離通信モジュールを介してネットワークプロバイダ（１４）に登録するステップと、
制御モジュール特有の情報及び照明器具特有の情報のうちの少なくとも１つと共に、前記地理情報を前記サーバ（４）に送信するステップと、を更に含む、請求項１〜６のいずれか一項に記載の方法。
【請求項８】
初めて前記起動前記制御モジュールに初めて電圧を印加することを更に含む、請求項７に記載の方法。
【請求項９】
ネットワークプロバイダ（１４）への前記登録が、ローミング条件下で行われる、請求項７又は８に記載の方法。
【請求項１０】
制御モジュール（１、２、２３、２３’、２８、２８’）に関する情報を送信した後、現地に存在する長距離ネットワークに特有のプロバイダアクセスデータを前記制御モジュール（１、２、２３、２３’、２８、２８’）に送信するステップを更に含む、請求項７〜９のいずれか一項に記載の方法。
【請求項１１】
制御モジュール（１、２、２３、２３’、２８、２８’）が初めて起動され、ログオンサーバ上に登録された後、プロジェクトサーバを使用して
前記少なくとも１つのグループを割り付けるステップと、
前記少なくとも１つのグループとデータを交換するステップと、を行うことを更に含む、請求項１〜１０のいずれか一項に記載の方法。
【請求項１２】
前記プロジェクトサーバにおいて前記ログオンサーバから、アクティブ化された制御モジュールに関する情報を受信するステップを更に含む、請求項１１に記載の方法。
【請求項１３】
長距離通信に関して一時停止又は非アクティブ化されることになる前記更なる制御モジュールに関する情報を前記ネットワークプロバイダ（１４）にインターフェースを介して送信するステップを更に含む、請求項７〜９のいずれか一項に記載の方法。
【請求項１４】
前記サーバ（４）から前記更なる制御モジュール（１、２、２３、２３’、２８、２８’）に、これらの制御モジュール（１、２、２３、２３’、２８、２８’）のうちのいずれが前記正常動作状態においていかなる長距離通信も遂行する必要がないのかを示す情報項目を送信するステップを更に含む、請求項１〜１３のいずれか一項に記載の方法。
【請求項１５】
前記プロバイダアクセスデータが、ファームウェアを介して、電子ＳＩＭを有する制御モジュール（１、２、２３、２３’、２８、２８’）から利用可能になる、請求項７〜１０及び１３のいずれか一項に記載の方法。
【請求項１６】
個々の制御モジュール（１、２、２３、２３’、２８、２８’）を前記サーバ側で長距離ネットワークプロバイダ（１４）に対するＡＰＩ（１３）を介してアクティブ化、一時停止、又は非アクティブ化するステップを更に含む、請求項７〜１０、１３、及び１５のいずれか一項に記載の方法。
【請求項１７】
前記サーバ（４）を使用して、前記グループの前記それぞれのメンバーに関するデータを前記それぞれのグループコントローラ（２、２３’、２８’）に送信するステップと、
前記それぞれのグループコントローラを前記グループの前記更なるメンバーに対する前記グループコントローラとして規定するステップと、を更に含む、請求項１〜１６のいずれか一項に記載の方法。
【請求項１８】
前記サーバ（４）を使用して、グループ（Ａ、Ｂ）内の前記制御モジュール（１、２、２３、２３’、２８、２８’）に同じグループ内の隣接する制御モジュールに関する情報を提供するステップを更に含む、請求項１〜１７のいずれか一項に記載の方法。
【請求項１９】
前記グループ内部にネットワークを上首尾に構成した後、この上首尾な構成を前記サーバ（４）に、前記グループコントローラ（２、２３’、２８’）を使用して報告するステップを更に含む、請求項１〜１８のいずれか一項に記載の方法。
【請求項２０】
前記制御モジュール（１、２、２３、２３’、２８、２８’）に電圧を印加させた後、前記制御モジュール（１、２、２３、２３’、２８、２８’）を使用して、所定の時間間隔又は予め定義可能な時間間隔にわたって前記照明器具を異なる輝度で動作させるステップを更に含む、請求項１〜１９のいずれか一項に記載の方法。
【請求項２１】
前記制御モジュール（１、２、２３、２３’、２８、２８’）のうちの少なくとも１つが初めて設置又は再度設置された後、前記制御モジュール（１、２、２３、２３’、２８、２８’）のうちの少なくとも１つにおいて前記サーバ（４）から、前記照明器具を動作させるためのパラメータセットを受信するステップを更に含む、請求項１〜２０のいずれか一項に記載の方法。
【請求項２２】
前記サーバ（４）から前記グループコントローラ（２、２３’、２８’）にソフトウェアを送信するステップと、
グループ内の前記制御モジュール（１、２、２３、２３’、２８、２８’）に、前記サーバ（４）により前記グループコントローラ（２、２３’、２８’）に送信された前記ソフトウェアを介してソフトウェア更新を供給するステップと、を更に含む、請求項１〜２１のいずれか一項に記載の方法。
【請求項２３】
その少なくとも１つの制御モジュール（１、２、２３、２３’、２８、２８’）において前記サーバ（４）から新しいコントローラファームウェアを受信するステップを更に含む、請求項１〜２２のいずれか一項に記載の方法。
【請求項２４】
前記制御モジュール（１、２、２３、２３’、２８、２８’）を使用して、初めてスイッチオンされた更なる制御モジュールがないか前記短距離ネットワークを自動的にスキャンするステップを更に含む、請求項１〜２３のいずれか一項に記載の方法。
【請求項２５】
妨害イベントの頻度に基づいて、
近隣情報の更新受信の一時的な制限を求めるサーバリクエストを送信するステップと、
グループ（Ａ、Ｂ）内の前記制御モジュール（１、２、２３、２３’、２８、２８’）において、隣接する制御モジュール（１、２、２３、２３’、２８、２８’）に関する情報及び前記隣接する制御モジュール（１、２、２３、２３’、２８、２８’）への接続品質に関する情報を前記短距離通信モジュールから受信するステップと、
この情報を前記グループコントローラ（２、２３’、２８’）に、前記短距離通信モジュール、及び前記長距離通信モジュールを介した前記サーバ（４）のうちの１つを介して送信するステップと、
前記サーバ（４）を使用して、前記グループ（Ａ、Ｂ）の前記分割に対する変更を行うこと及び変更がないか確認することのうちの少なくとも１つを行うステップと、を更に含む、請求項１〜２４のいずれか一項に記載の方法。
【請求項２６】
前記照明器具の一部分上に配置された情報キャリアを設けるステップと、
前記情報キャリアにおいて照明器具特有の情報を受信するステップと、
前記情報キャリアを自動化様式及びトリガ様式のうちの少なくとも１つにおいて読み出すステップと、を更に含む、請求項１〜２５のいずれか一項に記載の方法。
【請求項２７】
前記制御モジュールのニアフィールドセンサを使用して前記情報キャリアを読み出すことを更に含む、請求項２６に記載の方法。
【請求項２８】
前記サーバ側で前記照明器具特有の情報を在庫リストにリンクさせることを更に含み、前記照明器具の部品のうちの１つに障害が発生した場合、前記在庫リストの内容が少なくとも部分的に表示され得る、請求項２６又は２７に記載の方法。
【請求項２９】
あるグループ内の前記制御モジュール（１、２、２３、２３’、２８、２８’）を使用して、それらの短距離ネットワークベースの環境に関する情報を、予め定義された時間に、及び／又はサーバ初期化のために観察するステップと、
前記制御モジュール（１、２、２３、２３’、２８、２８’）を使用して、前記環境内に少なくとも一時的に記憶するそれぞれの隣接する制御モジュールに関する情報を受信するステップと、
前記制御モジュール（１、２、２３、２３’、２８、２８’）を使用して、前記グループコントローラ（２、２３’、２８’）を介して又は直接に、のいずれかにより、前記情報を前記サーバ（４）に送信するステップと、を更に含む、請求項１〜２８のいずれか一項に記載の方法。
【請求項３０】
複数の制御モジュール（１、２、２３、２３’、２８、２８’）を選択するステップと、
制御モジュール密度を決定するステップと、
所定の限界値又は予め定義可能な限界値を使用して前記制御モジュール密度を確認するステップと、
前記制御モジュール（１、２、２３、２３’、２８、２８’）に対してクエリを行うステップと、を更に含む、請求項１〜２９のいずれか一項に記載の方法。
【請求項３１】
前記それぞれの制御モジュール（１、２、２３、２３’、２８、２８’）により行われるステップであって、前記短距離ネットワークにおけるそのＵＩＤ、前記長距離ネットワークにおけるそのＩＰアドレス、前記短距離無線ネットワークにおけるそのＵＩＤ、照明器具特有の情報、前記短距離ネットワーク内の最大５０個の隣接する制御モジュール（１、２、２３、２３’、２８、２８’）、前記短距離ネットワーク内の最大１０個の隣接する制御モジュール（１、２、２３、２３’、２８、２８’）に関する、任意のＵＩＤを含むデータ、及び前記隣接する制御モジュールに属する接続品質、のうちの少なくとも１つに関するデータを前記サーバ（４）に送信するステップ、を更に含む、請求項１〜３０のいずれか一項に記載の方法。
【請求項３２】
前記グループ及び／又はグループコントローラが、前記サーバ上で自動化様式で分割される、請求項１〜３１のいずれか一項に記載の方法。
【請求項３３】
前記グループ及び／又はグループコントローラの前記分割が、ユーザ入力を用いて変更可能に保たれる、請求項１〜３２のいずれか一項に記載の方法。
【請求項３４】
予め定義可能な数と同じかそれより少ない数の制御モジュールが各グループに割り付けられている、請求項１〜３３のいずれか一項に記載の方法。
【請求項３５】
前記数が２００である、請求項３４に記載の方法。
【請求項３６】
制御モジュール（１、２、２３、２３’、２８、２８’）が、ファジーな制御戦略に基づいて自動化様式で前記グループコントローラ（２、２３’、２８’）として選択される、請求項１〜３５のいずれか一項に記載の方法。
【請求項３７】
制御モジュール（１、２、２３、２３’、２８、２８’）が、ファジーな制御戦略に基づいて自動化様式で一時停止又は非アクティブ化される、請求項１〜３６のいずれか一項に記載の方法。
【請求項３８】
前記選択が、下記の事項のうちの少なくとも１つに関するルールを考慮に入れて行われる、請求項３６又は３７に記載の方法：
ａ）アクティブな制御モジュールと非アクティブな制御モジュールの比率、
ｂ）短距離ネットワーク内の近隣物の利用可能性、
ｃ）ネットワーク障害の数、
ｄ）ネットワークの変更（削除された制御モジュールと対比した新しい制御モジュール）、
ｅ）短距離ネットワーク内の接続品質の変化、
ｆ）長距離ネットワークプロバイダへの推定接続コスト、
ｇ）隣接するグループ間のセンサデータの通信、
ｈ）場合によっては距離に基づくレイテンシ、
ｉ）アクティブなグループコントローラの障害及び交換、並びに
ｊ）時間に基づく減衰を考慮に入れるための安定化モジュール。
【請求項３９】
前記ルールがＡＩシステムを使用してマッピング及びリンクされる、請求項３７に記載の方法。
【請求項４０】
前記サーバ側で前記制御戦略を使用して少なくとも１つの補欠グループを定義するステップと、
現行のグループコントローラに障害が発生した場合、前記補欠グループコントローラを前記一時停止状態から前記アクティブモードに変更するステップと、を更に含む、請求項１〜３９のいずれか一項に記載の方法。
【請求項４１】
前記短距離ネットワークの異なる周波数帯域における正常動作のために、前記短距離ネットワーク及び前記短距離ネットワーク内の通信に関する環境情報を取得するステップを更に含む、請求項１〜４０のいずれか一項に記載の方法。
【請求項４２】
前記異なる周波数のために同じアンテナが使用される、請求項４１に記載の方法。
【請求項４３】
センサ情報に基づくグループ横断的な関連性を有するデータを、前記サーバを迂回することにより、前記長距離ネットワークを介して隣接するグループ内の制御モジュールに直接送信するステップを更に含む、請求項１〜４２のいずれか一項に記載の方法。
【請求項４４】
センサ情報に基づくグループ横断的な関連性を有するデータが、前記サーバを迂回しながら、前記短距離ネットワークを介して隣接するグループ内の制御モジュールに直接送信され、前記データが、グループ内の正常動作とは異なる周波数帯域で送信される、請求項１〜４３のいずれか一項に記載の方法。
【請求項４５】
前記サーバ上で、グループ横断的な関連性を有するデータを交換するための制御モジュール（１、２、２３、２３’、２８、２８’）をグループから独立して選択することを更に含む、請求項４３又は４４に記載の方法。
【請求項４６】
複数の照明器具を備えた照明器具ネットワークであって、各照明器具が、街灯であり、それに関連付けられた制御モジュール（１、２、２３、２３’、２８、２８’）を有し、前記制御モジュール（１、２、２３、２３’、２８、２８’）の各々が、
−  長距離通信モジュールと、
−  短距離通信モジュールと、
−  地理座標モジュールと、
−  コントローラ（３９）と、を備え、
各制御モジュールが、前記照明器具の駆動装置を制御するための制御出力を提供するように動作可能であり、前記制御出力が、前記関連付けられた照明器具の発光手段の前記駆動装置のための制御信号を含み、
少なくとも１つのサーバ（４）が、前記長距離通信モジュールを介して到達可能であり、
前記ネットワークが、請求項１〜４５のいずれか一項に従って動作する、照明器具ネットワーク。
【発明の詳細な説明】
【技術分野】
【０００１】
本発明は、照明器具ネットワークを構成及び運用し、特に制御するための方法であって、照明器具が特に街灯である場合の方法に関する。
【背景技術】
【０００２】
先行技術から、照明器具ネットワークがますますインテリジェントなコントローラを備えていることが知られている。例えば、照明器具ネットワークを運用するための遠隔管理システムであって、ＰＣ上の管理コンソールに接続されたいわゆるセグメントコントローラがいくつかの照明器具を照明器具の制御モジュールを介して制御する遠隔管理システムが知られている。セグメントコントローラは、照明器具内に組み込むには大きすぎ、制御対象の照明器具が短距離通信モジュールを介してセグメントコントローラと通信することができるように組み立てられるべきである。セグメントコントローラの障害は、照明器具ネットワークの制御能力の喪失につながる。
【０００３】
制御対象のネットワーク内の照明器具の全ての制御モジュールに、制御モジュールがそれを介して中央サーバと通信する遠距離通信モジュール、例えばＧＳＭ（登録商標）ベースの長距離通信モジュールを備え付けることも、同様に公知の慣行である。多数の制御モジュールがプロバイダ又は長距離通信ネットワーク内にアクティブ状態で組み込まれる結果、このネットワークではかなりの通信コストが生じる。
【０００４】
更に、特にＧＰＳにより支援される形でコントローラを照明器具に割り付けることは手作業で遂行しなければならないため、公知のシステムは起動するのが高価である。最後に、セグメントコントローラにより制御することができる照明器具が多数あるため、このネットワーク内のレイテンシは、比較的高い。
【発明の概要】
【発明が解決しようとする課題】
【０００５】
本発明の目的は、起動するのがより容易であり、より高度な障害安定性を保証し、また運用中により良好である、照明器具ネットワークを運用するための方法を提供することである。
【課題を解決するための手段】
【０００６】
この目的は、請求項１に記載の方法を用いて、及び請求項４３に記載のネットワークを用いて達成される。本発明の有利な改良形は、それらの請求項に言及する従属請求項から、及び以下の説明から知ることができる。
【０００７】
本発明による方法は、照明器具ネットワークをよりフェイルセーフかつ費用効果の高い様式で運用することを可能にし、同時に設置を単純化する。本発明による方法では複数の制御モジュールが設けられ、制御モジュールの各々は、それぞれ１つの照明器具に割り付けることができるか、又は割り付けられ、それぞれの制御モジュールは、それぞれ、長距離通信モジュール（例えばＧＳＭ（登録商標）、ＧＰＲＳ、Ｉｒｉｄｉｕｍ、若しくは別のセルラーネットワーク、若しくはイーサネット（登録商標）接続）、短距離通信モジュール（ＺｉｇＢｅｅ（登録商標）、６ＬｏＷＰＡＮ、若しくは類似のもの）、好ましくはニアフィールド通信モジュール（とりわけニアフィールドセンサ付きの）、ＧＰＳ、ＧＬＯＮＡＳＳ  Ｇａｌｉｌｅｏ、若しくは他の特に衛星ベースの測位システムに基づいて制御モジュールの位置を決定する地理座標モジュール、コントローラ、好ましくは少なくとも１つのセンサ、及び更に制御出力（例えば、ＤＡＬＩ若しくは０ｒｅｓｐ．１〜１０Ｖに基づく）を有する。制御信号は、制御出力を介して、照明器具、好ましくは街灯の発光手段の駆動装置に出力することができる。ネットワークはまた、長距離通信モジュールを介して到達することができ、関連付けられた遠隔管理ソフトウェアを上で実行することができる少なくとも１つのサーバを有する。ネットワークを構成するために、制御モジュールを１つ又は複数の制御モジュールグループに分割する。この場合、この分割は、制御モジュールにより提供される環境情報、照明器具情報、及び／又は制御モジュール情報に基づいて遂行する。遠距離通信モジュールは、異なる技法に基づくものであってもよい。例えば、それは、セルラーネットワーク、ＩＰネットワーク、又は長距離ピアツーピアネットワークであってもよい。制御モジュールの、１つ又は複数の制御モジュールグループへの分割は、サーバにより行われることが好ましい。
【０００８】
この場合、地理座標に加えて、あり得る環境情報としては、特に、短距離ネットワーク内の隣接する制御モジュールに関する情報（例えば、接続品質、及び他のＲＦ特性、若しくは近隣テーブル）、並びに／又は環境特有の情報（例えば、周囲の輝度）も挙げられる。照明器具情報は、使用する発光手段、それらの駆動装置に関する情報、及び／又は割り付けられた照明器具に関する更なる詳細、例えば現在の明度若しくは調光であってもよい。制御モジュール情報は、特に、制御モジュールの一意的な特定に関する情報、例えばそのＩＰアドレス又は別のＵＩＤ（一意的識別子）である。本発明によれば、各グループ内の制御モジュールのうちの１つ、又はグループが１つの場合はそのグループ内の制御モジュールのうちの１つが、サーバ側でグループコントローラとして選択される。このグループコントローラの選択は、サーバにより行われることが好ましい。関連付けられたグループ内の更なる制御モジュールは、それらの短距離通信モジュールを使用してこのグループコントローラと通信することができる。言い換えれば、グループ内通信は、それぞれの短距離通信モジュールを使用して遂行される。グループ内の制御モジュールは、それぞれの短距離通信モジュールを介してグループ内部に短距離ネットワークを、好ましくはメッシュネットワークの形態で、形成する。ネットワークの正常動作状態では、グループコントローラのみが、それ自身の環境情報、照明器具情報、及び／又は制御モジュール情報、並びに短距離ネットワークを介してそのグループの更なる制御モジュールから受信した環境情報、照明器具情報、及び／又は制御モジュール情報を、長距離通信モジュールを介してサーバに送信することができる。この場合、正常動作モードとは、ネットワーク内の制御モジュールがそれぞれあるグループに割り付けられ、それらの実際のタスクすなわち照明装置の制御を行う、ネットワークの１つの制御モードを意味すると理解される。上記及び下記において、情報は常に、特定の通信プロトコルに基づいて対応するデータを送信することにより、送信される。
【０００９】
このようなネットワーク構成は、動作中、以前のネットワークシステムよりもフェイルセーフである。グループ内のそれぞれの制御モジュールが冗長に構成されているため、グループコントローラに障害が発生しても、サーバ側で新しいグループコントローラを容易に決定することができる。新しいグループコントローラがグループ内部で、言い換えれば短距離通信ネットワーク（ＰＡＮ＝パーソナルエリアネットワーク）のレベルで宣言された後、グループコントローラとして定義されなかった更なる制御モジュールのための接続が、まさに該グループコントローラにより構成される。これは、システムの制御をサーバ側で、システムの監視をサーバ側で引き続き維持することを可能にする。同時に、グループごとに１つのアクティブな制御モジュール（グループコントローラ）があるため、全ての制御モジュールがそれらのそれぞれの長距離モジュールを介してサーバと個別に通信する場合よりも、コストが著しく低くなる。
【００１０】
グループ内ネットワークがメッシュネットワークとして構成される結果として、フェイルセーフ性及びＰＡＮレベルの通信は、同様によりフェイルセーフになる。
【００１１】
上記又は下記において方法ステップを説明するために「ここで（ｗｈｅｒｅｉｎ）」が使用される場合、これは、リンクされる関係ステップの同時性を必ずしも意味しない。むしろ、これらの方法ステップは、同時に行われてもよい（が、そうである必要はない）。
【００１２】
特に制御モジュールが初めて起動されるとき、好ましくは電圧が初めて印加されることにより、したがって制御モジュールがスイッチオンされた後の自動的な手順により制御モジュールが地理情報を自動化様式で取得する場合もまた、ネットワークを起動する作業は促進される。地理情報は、位置データ、言い換えれば座標、及び正確なタイムスタンプである。地理情報は、地理座標モジュールを使用して取得される。同時に、又はその後、ネットワークプロバイダへの登録が、長距離通信モジュールを介して遂行される。該ネットワークプロバイダは、通信回線のプロバイダ、例えばセルラーネットワークプロバイダであることが好ましい。遠距離通信ネットワークは、通常、少なくともセルラーネットワークであろう。登録は、特にローミング条件下で行われることがあり、その結果、それぞれの制御モジュールがその後構成される場所にかかわらず、常に同じ登録情報のみが工場で予め定義されなければならない。したがって、制御モジュール側では、コントローラ及び／又は長距離通信モジュールは、一貫性あるアクセスデータを有する。
【００１３】
次いで、ネットワークプロバイダへの登録後、地理情報を、制御モジュール特有の情報及び／又は照明器具特有の情報と共に、サーバに送信することができる。サーバ側でデータが関連付けられたデータベースに自動的に記憶されることは、街灯を簡単な様式で組み立てることを可能にする。通信コストを低減するために、制御モジュールに関する情報が送信された後に、現地に存在する長距離ネットワークに特有のプロバイダアクセスデータを該制御モジュールに送信してもよい。
【００１４】
特に、プロバイダアクセスデータは、電子ＳＩＭを有する制御モジュールにファームウェアを介して提供されてもよい。この場合、新しいファームウェアは、コントローラ又は長距離通信モジュール上に設置され、その結果、制御モジュールを低コストで、現地の条件下で起動することが可能になる。同時に、ファームウェアをサーバ側に提供することにより、制御モジュールに対して異なる装備が工場により備え付けられる必要がなく、関連付けられた制御モジュールの柔軟な通信及び設置を達成することができる。
【００１５】
特に多数の街路ネットワークの管理を単純化するために、制御モジュールが初めて起動され、ログオンサーバに初めて登録された後、プロジェクトサーバの形態のサーバにより、グループを割り付け、該グループとデータを交換するのが有利である。
【００１６】
サーバは、ハードウェア側の分離した、個別のＥＤＰ手段を意味するものとして理解する必要はなく、遠隔管理プログラム内部のプロジェクトに関連する分離に過ぎなくてもよい。サーバはまた、同じハードウェア上、又はクラウド内の仮想サーバであってもよい。
【００１７】
初めての登録後の手順をトラブルのないものとするために、プロジェクトサーバは、好ましくはアクティブなデバイス、すなわち制御モジュールに関する情報をログオンサーバから受信することができる。
【００１８】
コストを低減するために、長距離通信に関して一時停止及び／又は非アクティブ化されることになるアクティブな制御モジュールに関する情報は、サーバからインターフェースを介して長距離ネットワークプロバイダ又はネットワークプロバイダに送信されることが好ましい。したがって、ごく少数の制御モジュール（グループごとに１つの制御モジュール）がアクティブであることがプロバイダ側で保証される。他の制御モジュールは、メッシュネットワーク内部の通信経路を介してのみサーバと通信することができ、次いでグループコントローラを介してサーバと更に通信することができる。特に電子ＳＩＭを一時停止すると、疑義のある場合、例えばグループコントローラに障害が発生した場合に、電子ＳＩＭをすぐにアクティブ化することができる。ネットワークは、通信経路の障害を自動的に埋め合わせ、したがって最小限の遅延のみで新しい通信経路を確立することが好ましい。この新しい通信は、サーバからの対応するリクエストを使用して、又は制御モジュールによる時間制御されたクエリ及びプロバイダネットワークにアクセスする試みを使用して、開始することができる。
【００１９】
次いで、サーバは、ある情報項目を更なる制御モジュールに送信することができ、この情報に従って、これらの更なる制御モジュールは、正常動作中この新しいグループコントローラと通信する。
【００２０】
メッシュネットワークを構成するために、グループのそれぞれのメンバーに関するデータがサーバによりそれぞれのグループコントローラに送信され、それぞれのグループコントローラがグループの更なるメンバーに対するグループコントローラとして規定されると有利なことがある。代替的又は付加的に、サーバとの通信をトラブルのない様式で行うことができるように、グループの更なるメンバーに通信経路に関するデータ又は所望のグループコントローラに関するデータが提供されてもよい。
【００２１】
したがって、サーバにより提供される情報は、制御モジュールのための情報であってもよく、この場合、該制御モジュールは、同じグループ内の隣接する制御モジュールを通知される。
該データは、サーバ側で、例えばそれぞれの制御モジュールの地理座標の検討から抽出されてもよい。
【００２２】
メッシュネットワークが初期化され、上首尾に構成された後、グループコントローラは、このメッセージをサーバに送信してもよい。次いで、サーバは、グループを制御モードに案内してもよく、又は制御モードを開始してもよい。
【００２３】
新しい照明器具、新しい制御モジュールを設置するとき、及び／又はそれぞれの照明器具に対する保守作業後に、上首尾な起動、例えば制御モジュールのグループネットワークへの組み込みの成功又はサーバとの連絡確立の成功を作業要員に信号伝達するために、制御モジュールは、所望の状態に到達した後、所定の時間間隔又は予め定義可能な時間間隔にわたって該照明器具を異なる輝度で動作させてもよい。
【００２４】
初めて設置及び／又は再度設置された後、制御モジュールのうちの少なくとも１つが、照明器具を動作させるためのパラメータセットをサーバから受信することが好ましい。これは、例えば、調光曲線であってもよい。
【００２５】
サーバによりグループコントローラに送信されたソフトウェアを介してソフトウェア更新がグループ内の制御モジュールに供給される場合も、照明器具ネットワークの運用は改善される。これは、例えば、照明器具の新機能を達成すること、又は場合によっては照明器具の新機能を有効化することも可能にする。
【００２６】
あるいは、制御モジュールは、グループコントローラを迂回しながら、新しいコントローラソフトウェア、特にファームウェアを、サーバから直接受信してもよい。しかしながら、それぞれの制御モジュールは、まずプロバイダにおいてこの目的のために再度アクティブ化される必要がある。
【００２７】
ネットワークをできる限り迅速に遅延なく構成することを可能にするために、制御モジュールは、初めてスイッチオンされた後、更なる制御モジュールがないか短距離ネットワークを自動的にスキャンすることができ、結果として、短距離ネットワーク内のごく近位の近隣物を含む近隣テーブルを内部に生成することができる。このリストは、その後サーバに送信されてもよい。特に、メッシュネットワークが構成され、グループコントローラが割り当てられた後、この近隣情報は、更なる照明器具特有の情報及び制御モジュール特有の情報と共に、サーバに送信されてもよい。
【００２８】
よりフェイルセーフな運用のために、妨害イベントの頻度及び／又は特定の数の交換及び／又は新たに設置された制御モジュールに基づき、近隣情報の更新受信の一時的な制限を求めるサーバ命令を出力又は送信することができると、それも有利である。この目的のため、制御モジュールは、場合によっては別のＰＡＮ内部通信モードに変わることができ、それぞれの短距離通信モジュールを通じて隣接する制御モジュールに連絡することができ、該制御モジュールを記録することができ、該制御モジュールとの接続品質を記録することができる。特定の期間が経過した後、及び／又は所定の数のごく近位の近隣物が特定された後、この情報は、場合によっては更なる地理特有の情報及び／又は照明器具特有の情報、又は制御モジュール特有の情報と共に、それぞれの短距離通信モジュールを介してグループコントローラに、又は接続がアクティブ化されたとき長距離通信モジュールを介してサーバに送信することができる。この情報に基づき、グループの分割及びグループコントローラの決定をサーバ側でチェック、変更、かつ／又は場合によっては再度遂行することができる。
【００２９】
照明器具特有の情報を送信するために、照明器具の一部分上に配置され、照明器具特有の情報を受信することを意図する情報キャリアが、自動化様式で、及び／又は制御モジュールによりトリガされる様式で読み出される方法は、ネットワークを設置するために特に有利である。情報キャリアは、非接触で読み出すことができるチップ、メモリカード、ＲＦＩＤタグ、又は類似の情報キャリアであってもよい。特に、情報キャリアは、制御モジュールのニアフィールドセンサを使用して非接触で読み出されることが好ましい。これは、例えば、ＲＦＩＤ応答機又はＲＦＩＤタグと通信するＲＦＩＤ読み取り機である。読み出された情報は、制御モジュール側で特定の動作パラメータを選択するために使用することができるが、例えばサーバから送信される動作パラメータを受信するために、サーバへの送信のみに使用することもできる。
【００３０】
照明器具特有の情報が、サーバへの送信後に、サーバ側で在庫リストにリンクされると、本発明による照明器具ネットワークの保守も改善される。在庫リストの内容は、照明器具の部品のうちの１つに障害が発生した場合、少なくとも部分的に表示され得ることが好ましい。照明器具の個々の部品は、リンクを介してオンラインショップ又は別の発注オプションを備えていてもよく、その結果、場合によっては機能しない部品を時間遅延なしに新たに購入することができる。
【００３１】
妨害に基づいて、又は新しい制御モジュールの数に基づいてグループ内の制御モジュールに対してクエリを行うのではなく、新しい制御モジュールは、それらの短距離ネットワークベースの環境に関する情報を所定の時間に、及び／又はサーバ初期化のために観察することができることが好ましい。この目的のため、メッシュネットワーク内部の、グループコントローラを介したサーバ方向への通信をすぐに制限し、短距離モジュール及びそれぞれのプロトコルに基づくメッシュネットワーク内の観察及びごく近位の近隣物との通信のみを許可することが有用かもしれない。これは、近隣物のテーブル又はリストを生成するのに役立ち、この場合、信号強度及び／又はそれぞれの近隣物との接続品質に関する情報が同時に含められてもよい。この情報は、（一時的に）記憶することができ、次いで、グループコントローラを介して、又は制御モジュールの全ての長距離通信モジュールがアクティブ化されている場合は直接に、のいずれかでサーバに送信することができる。
【００３２】
いくつかの制御モジュールのステータスを計画的に検査又はチェックするために、制御モジュールは、好ましくは上記クエリの前にサーバ側で選択されてもよく、この場合、制御モジュール密度は、例えば予め定義された限界値又は予め定義可能な限界値を使用して決定及びチェックされる。次いで、新たに含められる環境特有の情報、照明器具特有の情報、及び／又は制御モジュール特有の情報を、超過した限界値に基づいて初期化することができる。
【００３３】
サーバがグループコントローラの良好な選択を行うことを可能にするために、それぞれの制御モジュールに、短距離ネットワークにおけるそのＵＩＤ、長距離ネットワークにおけるそのＩＰアドレス、短距離無線ネットワークにおけるそのＵＩＤ、照明器具特有の情報、近距離ネットワーク内のいくつかの近隣物、特に短距離ネットワーク内の最大５０個、好ましくは最大１０個の隣接する制御モジュールの、関連付けられたＵＩＤを含むデータ、及び／又は隣接する制御モジュールに属する接続品質、に関するデータをスキャンプロセス中に受信及び記憶させ、次いでこの情報（データ）を所与の時間にグループコントローラを介してサーバに送信させるのが有益なことがある。制御モジュールがアクティブである場合、すなわちアクティブな長距離ネットワークアクセスを備えている場合、サーバはまた、この情報を制御モジュールから直接受信してもよい。
【００３４】
ネットワークのコミッショニング、及びサーバ上でのグループ及び／又はグループコントローラの分割は、自動化様式で遂行されることが好ましい。代替的又は付加的に、グループ及び／又はグループコントローラの分割は、ユーザ入力を用いて変更可能に保たれてもよい。これは、例えば、サーバ上で実行されるプログラムのため、グループコントローラが一意的に選択されないときに有利である。
【００３５】
ネットワーク内のレイテンシを所望のレベル未満に保つために、サーバ側で予め定義可能な最大数の制御モジュールが各グループに割り付けられることが好ましく、この場合、２００個の制御モジュールが、潜在的な上限を構成する。最大２０００個の照明器具による試験及びシミュレーションによると、これより大きいネットワークグループでは組織的な動作及びネットワークの定期チェックを保証できないほどレイテンシが大きくなることが示されている。
【００３６】
この数は、グループごとに２００個未満、特に５０個未満の制御モジュールであることが好ましい。
【００３７】
コントローラが、特にファジーな制御戦略に基づいて自動化様式でグループコントローラとして選択されると、システムのフェイルセーフ性もまた、十分に改善される。したがって、制御モジュールはまた、ファジーな制御戦略に基づいて自動化様式で一時停止又は非アクティブ化することもできる。
【００３８】
特に、下記の事項に関するルールのうちの少なくともいくつかを考慮に入れて、グループコントローラを選択することができ、かつ／又は制御モジュールをそれぞれのグループに割り付けることができる：
−  アクティブな制御モジュールと非アクティブな制御モジュールの比率、
−  短距離ネットワーク内の近隣物の利用可能性、
−  ネットワーク障害の数、
−  ネットワークの変更（削除された制御モジュールと対比した新しい制御モジュール）、
−  短距離ネットワーク内の前記接続品質の変化、
−  前記長距離ネットワークプロバイダへの前記推定接続コスト、
−  隣接するグループ間のセンサデータの通信、
−  グループ内レイテンシ（更に前記距離に基づく遅延）、
−  フォールバックオプション（障害が発生したグループコントローラの交換）、及び／又は
−  時間に基づく減衰を考慮に入れるための安定化モジュール。
【００３９】
これらのルールは、ＡＩシステムによりマッピング及びリンクされることが好ましい。これらのルールの単純な組み合わせは、ロジック演算、例えばＡＮＤ／ＯＲ／ＮＯＲの組み合わせに基づいてもよい。
【００４０】
制御戦略を使用して補欠グループコントローラがサーバ側に少なくとも定義されていると、障害戦略もまた増強され、この補欠グループコントローラは、現行のグループコントローラに障害が発生すると、一時停止状態からアクティブ状態に移行する。
【００４１】
短距離ネットワークに関する環境情報の取得、及び正常動作のための短距離ネットワーク内の通信（サーバとの通信）をよりトラブルのないものにするために、短距離ネットワーク内の関連付けられた通信がネットワークの異なる周波数帯域において遂行されると有利なことがある。この目的（多重動作）のために同じアンテナを使用できることが好ましい。
【００４２】
本発明による方法の別の発展によれば、グループ横断的な関連性を有する情報を隣接するグループ間で交換することができる。例えば走行する自動車又は歩行者の照明状況に関係する場合に、特にセンサ情報、又はセンサ情報に基づくグループ横断的な関連性を有するデータを迅速に転送できるように、対応する情報が、サーバを迂回しながら長距離ネットワークを介して隣接するグループ内の制御モジュールに直接送信されると有利である。特に、この情報は、該情報を生成したセンサを有する制御モジュールから直接発出してもよい。したがって、通信は、長距離ネットワークプロバイダを介して遂行することができるが、サーバを介して通る必要はない。プロトコル目的のために、対応する情報をサーバに通知してもよい。特に、情報は、長距離ネットワークにおいて既知のグループコントローラの中継を使用して、ここに提供される。
【００４３】
あるいは、センサ情報に基づくグループ横断的な関連性を有するデータは、サーバを迂回しながら、短距離ネットワークを介して隣接するグループ内の制御モジュールに直接送信されてもよく、データは、グループ内の正常動作とは異なる周波数帯域で送信されることが好ましい。この場合、同様に、短距離モジュールの多重動作が改めて有利なことがある。
【００４４】
サーバ側では、関連付けられたソフトウェアにおいて、グループ横断的な関連性を有するデータを交換するための制御モジュールをグループから独立して選択することができると有利なことがある。これは、例えば、センサ情報を交換する予定の制御モジュールを互いに全体マップ上でマーキングすることにより、グラフィカルに支援することができる。例えば、接近する自動車の走行方向の光量を迅速に増加することができるために、それぞれ異なるグループに属する制御モジュールが取り付けられた、隣接するグループ同士の境界線上にある広い交差点をマーキングすることができる。
【００４５】
上記及び下記のように形成された本発明によるネットワークは、同様に、対応する利点の恩恵を受ける。
【００４６】
本発明の更なる利点及び詳細は、以下の図面の説明から知ることができる。概略的に例示した図において、
【図面の簡単な説明】
【００４７】
【図１】本発明によるネットワークを示す。
【図２】本発明による更なる主題を示す。
【図３】本発明による方法の単純化された流れ図を示す。
【図４】本発明による更なる主題を示す。
【図５】本発明による主題の一部分を示す。
【図６】本発明による更なる主題を示す。
【図７】図６による、本発明による主題の一部分を示す。
【発明を実施するための形態】
【００４８】
下記の例示的な実施形態の個々の技術的特徴はまた、上記の例示的な実施形態、並びに独立請求項及び任意の更なる請求項の特徴と組み合わせて、本発明による主題を形成することもできる。有用な場合、機能的に同一に作用する要素は、同一の参照番号を備えている。
【００４９】
本発明は、複数の照明器具を備えたネットワークを含み、各照明器具は、その動作を制御するためのコントローラ又は制御モジュール、及びサーバを有する。各コントローラは、ＧＳＭ（登録商標）モデム又は低出力無線ネットワーク（ＬＰＲＮ：Ｌｏｗ  Ｐｏｗｅｒ  Ｒａｄｉｏ  Ｎｅｔｗｏｒｋ）により接続され、最も良好にサーバに通信することができる方法を決定する。ある好ましい実施形態では、コントローラは、グループコントローラを含む小規模ネットワークを形成することができ、グループコントローラは、小規模ネットワーク内で共有されるアクティブなＧＳＭ（登録商標）モデムを有し、プロバイダＧＳＭ（登録商標）ネットワークの全域でサーバとの通信はこのアクティブなＧＳＭ（登録商標）モデムを通じて行われる。
【００５０】
各コントローラがグループコントローラと通信するので、各小規模ネットワーク内に２つ以上のアクティブなＧＳＭ（登録商標）モデムが存在する必要はなく、コストを低減することができるという利点がある（ＧＳＭ（登録商標）ネットワークコスト）。各コントローラは、ＩＰｖ６プロトコルを使用する６ＬｏＷＡＮを使用するそのグループコントローラに対する通信にＬＰＲＮを使用する。結果として、各小規模ネットワークは、インターネットプロトコル・バージョン６（ＩＰｖ６）のネットワークを含み、該ネットワーク内の通信は、ＩＰｖ６プロトコルのみを使用する。
【００５１】
サーバは、ＩＰｖ６プロトコルを使用しても動作する。しかしながら、各グループコントローラからサーバに情報を送信するためにはＧＳＭ（登録商標）ネットワークが必要とされ、現時点ではこれらはインターネットプロトコル・バージョン４（ＩＰｖ４）のプロトコルを使用して動作している。これは、グループコントローラとサーバの間の通信が、ＧＳＭ（登録商標）ネットワーク上で送信されるためにＩＰｖ６からＩＰｖ４に変換され、次いでサーバで逆方向に再度変換される必要があることを意味する。加えるに、ＧＳＭ（登録商標）ネットワーク上の通信は、暗号化されセキュアであり、この暗号化は、好適な暗号プロトコルに従って提供される。
【００５２】
サーバは、ＧＳＭ（登録商標）ネットワーク上でグループコントローラから受信した暗号化通信を解読することができ、ＧＳＭ（登録商標）ネットワーク上でグループコントローラに送信するために通信を暗号化することもできる。これは、グループコントローラとサーバの間でエンドツーエンド（ｅｎｄ−ｔｏ−ｅｎｄ）暗号化された通信を提供する。
【００５３】
本発明の方法によれば、多数の制御モジュール１が、各々、図１によるグループコントローラ２に割り付けられている。ハードウェアに関しては、グループコントローラ２は、制御モジュール１と同一の構造を有する。しかしながら、それぞれのグループコントローラ２のみが、長距離接続３を介してサーバ４と相互作用することができる。典型的には、これは、現地のセルラーネットワークプロバイダへのアクセスであり、サーバは、これを通じてＩＰ−ＷＡＮに基づいて到達可能な状態に保たれる。サーバとグループコントローラの間の通信は、例えば、一般的なインターネットプロトコル（ＴＣＰ／ＩＰ）を使用して遂行することができる。上記のように、この通信は、ＩＰｖ６プロトコルを使用しており、サーバとグループコントローラの間の通信は、ＧＳＭ（登録商標）ネットワーク上での送信のためのＩＰｖ６とＩＰｖ４の間のトンネリング、ＧＳＭ（登録商標）ネットワーク上でのＩＰｖ４を使用した通信、及びサーバにおけるＩＰｖ４とＩＰｖ６の間のトンネリングを伴う。
【００５４】
ＩＰｖ６とＩＰｖ４の間の変換／トンネリング及び逆方向への再度の変換／トンネリングの必要性はＧＳＭ（登録商標）ネットワークがＩＰｖ４で動作することに起因することが容易に理解されるであろう。しかしながら、将来、ひとたびＧＳＭ（登録商標）ネットワークがＩＰｖ６で動作するようになると、この変換／トンネリングは、もはや必要ではなくなるであろう。
【００５５】
本発明の他の実施形態では、グループコントローラ及びサーバがＧＳＭ（登録商標）ネットワークと同じバージョンのＩＰプロトコルに基づいて動作してもよいことも理解されるであろう。
【００５６】
グループ７内部では、制御モジュールは、短距離接続６を介して互いに通信する。これは、ＩＥＥＥ８０２．１５．４規格、例えばＺｉｇＢｅｅ（登録商標）によるメッシュネットワークに基づく通信であることが好ましい。
【００５７】
それぞれのグループ７の制御モジュール１、２は、概してグループを越えて互いを見ることができず、したがって互いに干渉することがない。しかしながら、グループ横断的な通信のために、空間的に隣接する制御モジュールが、センサからのデータをグループ横断的な様式で互いに共有若しくは交換し、又は該データ若しくは対応する情報を短距離接続８を介して転送することができるための備えを整備してもよい。その場合、行為、例えば明度を増大させること、をそこから導出することができる。あるいは、この通信はまた、そのインターネット上のＩＰアドレスを通じて互いを見ることができる関連付けられたグループコントローラ２を使用して遂行することもできる。どの制御モジュールがどの制御モジュールと通信することができるか、及びこのモジュールがどのように通信することができるかに関する情報は、サーバ側で規定され、グループ横断的な様式で達成され、例えば短距離通信の場合、特に各制御モジュールの多重化ユニットを用いて達成される。
【００５８】
本発明によるネットワークを運用するためのサーバはまた、ＰＡＮを構成する１つ又は複数のグループ７の制御モジュール１、２に接続することに加えて、公知の先行技術によるネットワークをセグメントコントローラ１５（図２）により制御することができる。セグメントコントローラ１５は、いくつかの照明器具コントローラ９を管理する。セグメントコントローラ１５は、データを交換するために使用することができるインターフェース１１を介してサーバ４に接続される。場合によっては更なるインターフェース１２を介して複数のグループ７を接続することに加えて、サーバ４は、やはり更なるインターフェース（ＡＰＩ）１３を介して、長距離ネットワークオペレータ１４とのデータの交換を行ってもよい。
【００５９】
異なる動作モジュール（クライアント）１７と相互作用するデータベース１６は、概してサーバそれ自体上で実行される。ユーザは、サーバ、並びに照明器具グループを運用及び制御するためのサーバのプログラムに、グラフィカルユーザインターフェース１８を介してアクセスすることができる。
【００６０】
図３は、街灯ネットワークを構成する手順について簡潔な説明を与える。第１の段階１９でいくつかの制御モジュールが街灯上に設置された後、制御モジュールは、サーバ側で開始されるか、又は独立して開始されるかのいずれかである第２の段階２０で自らの環境をスキャンし、それぞれの環境情報並びに任意の更なる照明器具特有の情報及び制御モジュール特有の情報をサーバに送信する。これは、第１のプロバイダ、又は場合によってはそれぞれの制御モジュールが初めて登録された後でサーバにより予め定義された更なる現地のネットワークプロバイダのいずれかにより、ローミング条件下で直接遂行することができる。環境情報及び更なる情報が街灯のそれぞれの制御モジュールにより送信された後、制御モジュールが、決定され、グループに割り当てられ（段階２１）、グループコントローラが決定され、割り当てられる。ＰＡＮレベルでは、ネットワークは、使用する規格に基づいて、例えば動的に、構成することができる。それぞれのグループコントローラが内部グループ通信の上首尾な実現に関するデータ信号をサーバに送信した後、システムは、制御モード２２に移行する。
【００６１】
サーバ側で予め定義することができる更なる数の新しい制御モジュールが設置されたと仮定して、帰還ループ２５に従ってこのプロセスを再度遂行することができる。
【００６２】
図４による本発明の別の例示的な実施形態によれば、それぞれの制御モジュール２３及び２３’を有する複数の照明器具が、道路２４に沿って配置される。照明器具は、サーバ側で予め定義された照明器具又は制御モジュールのグループＡに属する。グループＢと同様に、グループＡは、それぞれ破線２６及び２７によりマーキングされている。道路２４に通じる交差道路２９に沿って並ぶ、関連付けられた制御モジュール２８及び２８’を有する照明器具は、グループＢに属する。内側の黒円３１及び３２は、アクティブな制御モジュール、グループコントローラを有する照明器具を示す。センサＳ１及びＳ２が、それぞれの制御モジュール２３及び２８に割り付けられている。ここでは、特に、レーダーセンサ、赤外線センサ（特に、受動型赤外線センサ）、又は道路２４及び２９内の誘導ループが、センサとして可能である。該センサが接近する対象物を検出すると、制御モジュールは、グループ内のそれぞれの街灯の光源を、グループ内の状況及びグループを横断する状況の両方に適合させる。
【００６３】
例えば、接近する自動車が、センサＳ１を備えた街灯の制御モジュール２３を使用して検出されると、この情報は、グループＡ内で共有され、グループＡ内の光源は、制御モジュール２３及び２３’を使用して明るくされ、そしてこの情報又は接近する自動車に関する情報が、グループコントローラ２３’を介してグループＢ内のグループコントローラ２８’に送信される。次いで、グループＢにおいて、制御モジュール２８及び２８’の関連する照明器具、言い換えればサーバ側で選択された照明器具においても輝度が適合される。あるいは、センサＳ１を備えた制御モジュール２３はまた、グループＢ内のグループコントローラ２８’と、又は該グループコントローラ２８’に割り付けられ、街灯のうちの１つに属する更なる制御モジュール２８と直接通信することもでき、これにより、情報はネットワーク内で共有され、グループＢにおいて対応する反応が与えられる。
【００６４】
それぞれの制御モジュール及びしたがってそれに関連付けられた街灯の光源は、隣接するグループのセンサからセンサ情報項目を供給される予定であり、次いでグループ横断的な様式で情報を転送するために使用される、第１のグループにサーバ側で割り付けることができる。特に、この目的のための対応する入力マスクが、サーバ側で利用可能である。
【００６５】
上記の方法を実施するために使用することができる本発明による制御モジュールは、好ましくは照明器具ヘッド部、例えば街灯の照明器具ヘッド部上に、個別のユニットとして設置することができる（図７を参照されたい）。外部に装着することができる制御モジュールの重要な部分を、図５でより詳細に開示する。そこで例示した分解図では、制御モジュールは、上部ハウジング部３３及び下部ハウジング部３４を含む。下部ハウジング部は、シール３６を介して光源の頂部側に配置されることになる基部に固定することができる。基部への接続は、バヨネット状の様式で屈曲されることになる接触子３７を使用して行われる。接触子３７は、一方でハウジング３４内に固定され、他方で中央印刷回路基板ユニット３８を支持している。コントローラ３９、短距離通信モジュール及び長距離通信モジュール、並びに特に地震波を検出するための加速度センサユニット４１が、特に該印刷回路基板ユニット上に存在する。
【００６６】
ニアフィールド内のＲＦＩＤ応答機から照明器具特有の情報を受信することができるために照明器具ハウジング側の基部内に導入することができるＲＦＩＤ読み取り機は、例示していない。
【００６７】
図６による描写は、長さが数百メートルの複数の道路４２を有する道路システムを例示する。それぞれの制御モジュールを有する多数の街灯光源４３が、これらの道路に沿って並んでいる。制御モジュールは、各々、地震波を検出するためのセンサを備えている。一方で、これらは、単純な加速度センサであってもよい。あるいはまた、より複雑な地震計が、街灯に組み込まれる様式で使用されてもよい。ハウジングの内側の制御モジュール内に直接組み込まれることが好ましい加速度センサから発出するデータは、グループコントローラ及びその長距離通信モジュールを介してサーバに送信することができる。結果として、比較的不正確なセンサの場合でさえ、該センサにより送信される信号の数の多さゆえに、制御モジュール及びグループコントローラにより同時に送信される地理座標に基づいて、サーバ内で地震波を検出し、空間的及び時間的に分解された様式で地震波を分析することが可能である。この結果、Ｐ波及び／又はＳ波の分解能が劣悪な場合でさえ、地震の進行の比較的正確な描写が得られる。したがって、地震の震央に関する情報も、この情報から抽出することができる。これは、ネットワークのサーバ上、又は震源に割り付けられた特別サーバ上のいずれにおいて行われてもよい。したがってまた、照明器具の制御を介して、例えば住民に予め開示された光信号を発信することにより、後続の津波警報又は地震警報が結果として生じてもよい。これらは、例えば、明度が交互交代及び伝搬する、道路に沿って進む波状の光信号であってもよい。
【００６８】
図７による街灯を地中へ組み込み、かつ例えば貧配合コンクリート層４４、基礎配管４５、及び密な充填材料４６を使用して該街灯を永久的に地面に配置及び接続することにより、照明器具ヘッド部４８内又はその上の制御モジュール内に配置された加速度センサは、土壌内を伝搬し、又は柱４９を介して土壌表層に沿って伝搬する地震波を効果的にとらえることができる。代替的又は付加的に、よりきめ細かく分解する地震計５２がまた、柱４９の基部に配置されてもよく、この地震計は、データ回線（図示せず）を介して制御モジュール２に接続される。このシステムの大きな利点は、広域にわたって分布する多数のセンサの評価であり、この評価は、事実上同時に遂行することができ、図６内に破線を使用して例示した地震波５０を検出するための分析を可能にする。同時に、多数の道路ユーザに同時に通知するために使用することができる情報システムが可能である。
【図１】
2017533565.tif 000003
【図２】
2017533565.tif 000004
【図３】
2017533565.tif 000005
【図４】
2017533565.tif 000006
【図５】
2017533565.tif 000007
【図６】
2017533565.tif 000008
【図７】
2017533565.tif 000009
【国際調査報告】
2017533565.tif 000010
2017533565.tif 000011
2017533565.tif 000012